(57)【要約】【課題】本発明の課題は、スロットロッドを用いてケーブルの多芯化を行い、且つ動摩擦係数の低いケーブル外被を用いることにより、高密度に光ファイバケーブルの配線を容易に行うことが可能となる光ファイバケーブルを提供することにある。【解決手段】本発明は、テンションメンバ１１の周囲に複数のスロット１３が配置されるように設けられた樹脂よりなるスロットロッド１２と、前記各スロット１３に収容される光ファイバ心線１４と、前記スロットロッド１２の外周に設けられた動摩擦係数が低いケーブル外被１５とを具備することを特徴とするものである。【選択図】図３
2009128711.tif 000002
【特許請求の範囲】
【請求項１】
テンションメンバの周囲に複数のスロットが配置されるように設けられた樹脂よりなるスロットロッドと、
前記各スロットに収容される光ファイバ心線と、
前記スロットロッドの外周に設けられた動摩擦係数が低いケーブル外被と
を具備することを特徴とする光ファイバケーブル。
【請求項２】
ケーブル外被として、フッ素樹脂よりなるケーブル外被を用いることを特徴とする請求項１に記載の光ファイバケーブル。
【請求項３】
ケーブル外被として、表面に凹凸形状を有するケーブル外被を用いることを特徴とする請求項１又は２に記載の光ファイバケーブル。
【請求項４】
スロットロッドとして、外周に複数の溝状のスロットが配置されたスロットロッドを用いることを特徴とする請求項１、２又は３に記載の光ファイバケーブル。
【請求項５】
スロットロッドとして、複数の貫通孔よりなるスロットが配置されたスロットロッドを用いることを特徴とする請求項１、２又は３に記載の光ファイバケーブル。
【請求項６】
光ファイバ心線として、コアの周囲に空孔が設けられたホーリーファイバ構造よりなる光ファイバ心線を用いることを特徴とする請求項１乃至５のいずれかに記載の光ファイバケーブル。
【請求項７】
光ファイバ心線の両端に光コネクタが設けられたことを特徴とする請求項１乃至６のいずれかに記載の光ファイバケーブル。
【請求項８】
少なくとも一方の光コネクタとして、多芯光コネクタを用いることを特徴とする請求項７に記載の光ファイバケーブル。
【請求項９】
請求項１乃至８のいずれかに記載の光ファイバケーブルを用い、複数階よりなる建物の縦系の配管内を通して、主配電盤や各階の中間配電盤に配線することを特徴とする情報配線システム。
【請求項１０】
主配電盤及び各階の中間配電盤において設置されるスプリッタモジュール側の光コネクタもしくはキャビネット側の光コネクタと、光ファイバケーブルの光コネクタとがアダプタを介して接続されることを特徴とする請求項９に記載の情報配線システム。
【発明の詳細な説明】
【技術分野】
【０００１】
本発明は、例えばオフィスビルやマンションビル等の複数階よりなる建物において光ファイバを用いた情報通信のための配線に利用する光ファイバケーブル及び情報配線システムに関するものである。
【背景技術】
【０００２】
従来、オフィスビルやマンションビルの構内の情報通信においては、電話会社などの収容局から配線された光ファイバを用いた情報通信をオフィスビルやマンションビル内の主配電盤や中間配電盤においてメディアコンバータを利用して、光信号を電気信号に変換し、その電気信号をオフィスビルやマンションビルの構内に既に配線されているメタリック線を利用して各加入者部屋へ情報通信するＶＤＳＬ（Ｖｅｒｙ  ｈｉｇｈ−ｂｉｔ−ｒａｔｅ  Ｄｉｇｉｔａｌ  Ｓｕｂｓｃｒｉｂｅｒ  Ｌｉｎｅ）形式（例えば、非特許文献１参照。）が広く利用されてきたが、近年、高度情報社会の高まりを受けて、オフィスビルやマンションビルの構内の情報通信に対して、メディアコンバータとメタリック線を併用するのではなく、光ファイバケーブルを直接配線することが実施されはじめている。
【０００３】
特にオフィスビルやマンションビルの構内の縦系配線に対しては、光ファイバケーブルを直接配線するために、主にＳＭ（Ｓｉｎｇｌｅ  Ｍｏｄｅ  Ｆｉｂｅｒ）型構内光ファイバケーブル（例えば、特許文献１参照。）やＳＭ（Ｓｉｎｇｌｅ  Ｍｏｄｅ  Ｆｉｂｅｒ）型インドア光ケーブル（例えば、特許文献２参照。）が現在利用されている。
【０００４】
【特許文献１】実開平５−３０８１７号公報
【特許文献２】特開２００３−１６１８６７号公報
【特許文献３】特開２００７−１２１３９８号公報
【特許文献４】特開平８−１８４７２８号公報
【特許文献５】特開平６−１４８４６４号公報
【非特許文献１】［新版］「やさしい光ファイバ通信」オーム社出版  平成１８年１１月１日  ｐ．２４２−２４３
【発明の開示】
【発明が解決しようとする課題】
【０００５】
現在、オフィスビルやマンションビルの構内の光ファイバケーブルの配線に利用する縦系の配管はその内径が様々であり、小さいものでは１４ｍｍ径のものも存在し、径の大きな５０ｍｍ径の配管であっても、既にその配管内に電気ケーブルやメタリックケーブル、同軸ケーブルが配線されているため、常に配管内の余剰スペースが狭く縦系の配管内における光ファイバケーブルの配線の制約が大きい。
【０００６】
また、オフィスビルやマンションビルの形状は様々であり、縦系の配管を設置するため、その配管そのものを蛇行させたりしてオフィスビルやマンションビル内に設置することがある。そのため、例えばＳＭ型構内光ファイバケーブルではスロットロッド及びテンションメンバが硬質であり、またそれらの径が大きく（例えば、ＳＭ型構内光ファイバケーブルのテンションメンバは１．４〜２．８ｍｍ、ＳＭ型インドア光ケーブルのテンションメンバは０．４ｍｍであるがインドア光ケーブルの両端に２本入っており、全方向に曲げにくい）ケーブル外径が１０ｍｍ径以上と配管に対して大きいことから、柔軟性に欠き、配線時に配管内の余剰スペースや蛇行が原因で配管内を通過しないなどの問題がある。
【０００７】
一方、ＳＭ型インドア光ケーブルは、ＳＭ型構内光ファイバケーブルと比較してその外径が２×３．７ｍｍ程度と細径のため、縦系の配管径や既に配線されているケーブル類による余剰スペースの問題はＳＭ型構内光ファイバケーブルと比較して少なくなるが、その断面長方形という形状から、配管内に配線する時に撚りが発生し、光ファイバケーブル内部の光ファイバを破壊する可能性があるため、配管内に配線する作業に注意が必要となる。
【０００８】
そのため、現在利用されている光ファイバケーブルにおいて縦系の配管内での配線作業には、一定の経験や知識といった特定の技術が必要となってくる。
【０００９】
これら既存の光ファイバケーブルは、オフィスビルやマンションビルの構内の主配電盤や各階の中間配電盤において、光ファイバケーブルの外被を除去し、その内部から光ファイバ素線を取り出す。光ファイバケーブルから取り出した光ファイバ素線の余長処理や分岐やスプリッタ接続のためのメカニカルスプライス、コネクタ、融着接続作業のためにオフィスビルやマンションビルの主配電盤や各階の中間配電盤の内部にキャビネットを設置する。そのキャビネットへ光ファイバケーブルから取り出した光ファイバ素線を収納し、各階の加入者部屋へ情報通信するためにオフィスビルやマンションビルの主配電盤や各階の中間配電盤から加入者部屋へ横系の配管を通じて配線した光ファイバケーブルをメカニカルスプライスや光コネクタ、融着接続により接続することが必要となってくるため、これら接続作業に関しても一定の経験や知識といった特定の技術が必要となっている。
【００１０】
そのため、オフィスビルやマンションビルの構内の光ファイバケーブルの配線作業においてはこれら特定の技術を有した作業者しか実施することができず、実施した際にも多くの作業時間が必要となる問題を抱えている。
【００１１】
このほかにも、既存の２つの光ファイバケーブルをオフィスビルやマンションビルに合わせて併用したり工作したりして使用するため、オフィスビルやマンションビルの構内における情報通信のための配線手段は一定ではないため、それに対応する技術が必要となり、特定の技術を有した作業者に依存する結果となり、高度情報社会のための情報配線システムの構築を阻害している問題がある。
【００１２】
本発明は上記の事情に鑑みてなされたもので、スロットロッドを用いてケーブルの多芯化を行い、且つ動摩擦係数の低いケーブル外被を用いることにより、高密度に光ファイバケーブルの配線を容易に行うことが可能となり、さらに、コネクタ付光ファイバケーブルとすることにより、配線作業の作業性を向上することが可能となる光ファイバケーブル及び情報配線システムを提供することを目的とする。
【課題を解決するための手段】
【００１３】
上記目的を達成するために本発明の光ファイバケーブルは、テンションメンバの周囲に複数のスロットが配置されるように設けられた樹脂よりなるスロットロッドと、前記各スロットに収容される光ファイバ心線と、前記スロットロッドの外周に設けられた動摩擦係数が低いケーブル外被とを具備することを特徴とするものである。
【００１４】
また本発明は、前記光ファイバケーブルにおいて、ケーブル外被として、フッ素樹脂よりなるケーブル外被を用いることを特徴とするものである。
【００１５】
また本発明は、前記光ファイバケーブルにおいて、ケーブル外被として、表面に凹凸形状を有するケーブル外被を用いることを特徴とするものである。
【００１６】
また本発明は、前記光ファイバケーブルにおいて、スロットロッドとして、外周に複数の溝状のスロットが配置されたスロットロッドを用いることを特徴とするものである。
【００１７】
また本発明は、前記光ファイバケーブルにおいて、スロットロッドとして、複数の貫通孔よりなるスロットが配置されたスロットロッドを用いることを特徴とするものである。
【００１８】
また本発明は、前記光ファイバケーブルにおいて、光ファイバ心線として、コアの周囲に空孔が設けられたホーリーファイバ構造よりなる光ファイバ心線を用いることを特徴とするものである。
【００１９】
また本発明は、前記光ファイバケーブルにおいて、光ファイバ心線の両端に光コネクタが設けられたことを特徴とするものである。
【００２０】
また本発明は、前記光ファイバケーブルにおいて、少なくとも一方の光コネクタとして、多芯光コネクタを用いることを特徴とするものである。
【００２１】
また本発明の情報配線システムは、前記光ファイバケーブルを用い、複数階よりなる建物の縦系の配管内を通して、主配電盤や各階の中間配電盤に配線することを特徴とするものである。
【００２２】
また本発明は、前記情報配線システムにおいて、主配電盤及び各階の中間配電盤において設置されるスプリッタモジュール側の光コネクタもしくはキャビネット側の光コネクタと、光ファイバケーブルの光コネクタとがアダプタを介して接続されることを特徴とするものである。
【発明の効果】
【００２３】
本発明の光ファイバケーブル及び情報配線システムは、スロットロッドを用いてケーブルの多芯化を行い、且つ動摩擦係数の低いケーブル外被を用いることにより、高密度に光ファイバケーブルの配線を容易に行うことが可能となると共に、スロットロッドを利用することにより横圧に対する抵抗が強いケーブルを得ることが可能となり、さらに、コネクタ付光ファイバケーブルとすることにより、配線作業の作業性を向上することが可能となる。また、複数階建物内の縦系の配管内への光ファイバケーブルの配線や主配電盤や各階の中間配電盤における接続作業が特定の技術を利用せずに、作業することが可能であるため、特定の技術を有した作業者以外の作業者にも作業が可能になり、その結果として複数階建物内における光ファイバケーブルを利用した情報システムの構築の作業時間も短縮することが可能になる。
【００２４】
また、複数階建物において情報配線システムの構築が一定の手段に固定されることとなり、複数階建物内における光ファイバケーブルを利用した情報システムの構築が容易となる。
【発明を実施するための最良の形態】
【００２５】
以下図面を参照して本発明の実施の形態を詳細に説明する。
図１は本発明の一実施形態に係る光ファイバケーブルを示す構成説明図である。図１に示すように、光ファイバケーブル１の一端には多芯光コネクタ２が設けられると共に、光ファイバケーブル１の他端には分岐部３で分岐された複数のコード部４のそれぞれ先端に単芯光コネクタ５が設けられる。前記多芯光コネクタ２及び前記単芯光コネクタ５は光ファイバケーブル１及びコード部４中に通線された複数の光ファイバ素線の両端に接続される。この場合、分岐部３やコード部４に関しては、本発明の実施形態の機能を損なわないならば、利用しなくともよいし、どちらか一方のみ利用しても構わない。
【００２６】
図２は本発明の他の実施形態に係る光ファイバケーブルを示す構成説明図である。図２に示すように、光ファイバケーブル１の両端にはそれぞれ多芯光コネクタ２，２が設けられ、多芯光コネクタ２，２は光ファイバケーブル１中に通線された複数の光ファイバ素線の両端に接続される。
【００２７】
尚、光ファイバケーブル１の両端にそれぞれ単芯光コネクタ５，５を設け、光ファイバケーブル１中に通線された複数の光ファイバ素線の両端に接続するようにしてもよい。
【００２８】
図３（ａ）〜（ｃ）は本発明の実施形態に係る光ファイバケーブルの一例を示す断面図である。図３（ａ）に示すように、テンションメンバ１１を中心軸とするようにしてテンションメンバ１１の周囲には樹脂例えば軟性のケイ素樹脂で構成されたスロットロッド１２が設けられる。前記スロットロッド１２の外周には複数の溝状のスロット１３がほぼ等間隔でスパイラル状に設けられる。前記各スロット１３にはそれぞれ単芯の光ファイバ心線１４が収容される。前記スロットロッド１２の外周には前記各スロット１３の開口部を覆うようにして動摩擦係数の低い物質よりなるケーブル外被１５が被覆される。前記動摩擦係数の低い物質としてはフッ素樹脂の１種であるテフロン（登録商標）のＰＴＦＥ、フッ素系ＰＴＥ（熱可塑性エラストマー）又はカーボン等があり、軟性のある樹脂としてはケイ素樹脂、例えばケイ素樹脂の１種であるシリコーンゴムなどがある。
【００２９】
前記スロットロッド１２は８つのスロット１３を備え、各スロット１３の大きさは一辺が０．３ｍｍのほぼ正方形であり、スロット１３がスロットロッド１２の外周面に対応する部分のみ、スロットロッド１２の外周面の円弧に合わせて扇形になっている。
【００３０】
図４は本発明の実施形態に係る光ファイバケーブルの他の例を示す断面図である。図４に示すように、テンションメンバ１１を中心軸とするようにしてテンションメンバ１１の周囲には樹脂例えば軟性のケイ素樹脂で構成されたスロットロッド１６が設けられる。前記スロットロッド１６の内部には複数の貫通孔よりなるスロット１７がテンションメンバ１１の周囲にほぼ等間隔でスパイラル状に設けられる。前記各スロット１７にはそれぞれ単芯の光ファイバ心線１４が収容される。前記スロットロッド１６の外周には動摩擦係数の低い物質よりなるケーブル外被１５が被覆される。この場合、ケーブル外被１５は、スロットロッド１６によっては被覆しなくてもよい。
【００３１】
尚、スロット１３，１７は機能を満たすならば、スパイラル状でなくてもよい。
【００３２】
また、テンションメンバ１１としては例えば０．４ｍｍ径の鋼線が１本以上設けられる。
【００３３】
さらに、動摩擦係数の低い物質としてはフッ素樹脂がある。
【００３４】
また、スロットロッド１２，１６は軟性のケイ素樹脂を利用しており、細径であるため柔軟に曲がることが可能であり、且つ円筒状であるため、配管内を配線する際に撚りが発生しない。
【００３５】
そのため、既存の光ファイバケーブルと比較して、蛇行といった縦系配管の形状に対して容易に配線することが可能である。
【００３６】
また、光ファイバ心線１４として、コアの周囲に空孔を備えた０．２５ｍｍ径のホーリーファイバ構造よりなる光ファイバ心線を用いることにより、光ファイバケーブル１を曲げたときなどに損失増加を発生させないため、光ファイバケーブル１の取り回しが容易になる。
【００３７】
また、スロットロッド１２の中心にはテンションメンバ１１として０．４ｍｍ径の鋼線が備えられ、スロットロッド１２の径は１．６ｍｍとなる。
【００３８】
また、ケーブル外被１５は被覆厚みが０．２ｍｍのフッ素樹脂を利用しており、例えばテフロン（登録商標）のＰＴＦＥで動摩擦係数が０．０４となり、例えば既存の光ケーブルの外被に用いられている物質であるＰＶＣ（ポリ塩化ビニル、動摩擦係数：０．４０）や高密度ポリエチレン（動摩擦係数：０．１１）、低密度ポリエチレン（動摩擦係数：０．３３）と比較しても十分小さいため、複数階建物の縦系配管の内壁や配管内に配線された他のケーブル類との動摩擦力が小さくなる。
【００３９】
また、スロットロッド１２，１６を備えることによって、光ファイバ心線１４同士が接触することがなくなるため、光ファイバケーブルの縦系配管への配線時にも光ファイバ心線同士の接触による損傷や温度変化による接触による損傷も防ぐことが可能になる。
【００４０】
また、スロットロッド１２に備えられたスロット１３の形状を図３（ｂ）に示すように、断面がバレット（弾丸）形にすることでスロットロッド１２にスロット１３同士が干渉することなくスロット１３の空間を広く確保することができる。
このとき例えば、図３（ｃ）に示すように寸法Ａを０．３ｍｍ、寸法Ｃを０．３ｍｍと、バレット形のスロット１３の先端部分を半径０．３ｍｍの半円とすると、このバレット形のスロット１３は０．２５ｍｍ径の光ファイバ心線１４を２本収納することができる。
【００４１】
図５は本発明の実施形態に係るケーブル外被を示す構成説明図である。図５に示すように、ケーブル外被１５の動摩擦力を減少させる方法として、ケーブル外被１５の表面に楕円状の凹凸形状部１９を設けることで配管の内壁に対する設置面積が少なくなり、そのため動摩擦力を低減させることが可能である。
【００４２】
尚、ケーブル外被１５はフッ素樹脂のみや凹凸形状部を設けることのみのどちらかの方法を用いてもよいし、これらを組み合せてもよい。
【００４３】
このように、ケーブル外被１５の動摩擦力を減少させることにより、複数階建物の縦系配管への光ファイバケーブル１の配線が容易になる。また、光ファイバケーブル１はスロットロッド１２，１６を含めて柔軟な樹脂で構成できるため、既存の光ファイバケーブルと比較して、蛇行といった複数階建物の縦系配管の形状に対して容易に配線することが可能である。
【００４４】
以上のように、光ファイバケーブル１はスロットロッド１２，１６及びケーブル外被１５ともに軟性樹脂が利用されているため、柔軟性があり、かつ、ケーブル外被１５が動摩擦係数の低い樹脂を利用しているため、配管の内壁や他のケーブル類との摩擦力が少なくなるため、光ファイバケーブル１を配線することが容易になる。その上、光ファイバケーブル１は両端に光コネクタを備えているため、主配電盤や各階の中間配電盤における接続作業を排除することが出来るため、作業が容易になる。
【００４５】
尚、光ファイバケーブル１の両端に光コネクタを備えるため、配管内に配線する際に光コネクタの大きさが問題となるが、ＭＴコネクタ（Ｍｅｃｈａｎｉｃａｌｌｙ  Ｔｒａｎｓｆｅｒａｂｌｅ  Ｓｐｌｉｃｉｎｇ  Ｃｏｎｎｅｃｔｏｒ）のような小型多芯光コネクタを配管に応じて、多芯光コネクタ２として利用することによって、この問題を解決することが可能である。
本発明の実施形態に係る光ファイバケーブルは細径にできるため、同一の配管に従来の光ケーブル、例えばインドアケーブル（２×３．７ｍｍ）の３倍程度の本数の光ファイバケーブル、例えば多心光コネクタであるＭＰＯコネクタ（５．５×９×１０ｍｍ）を備えた光コネクタ付光ファイバケーブルとした場合は、光コネクタ部が太いので２倍程度となるが、この場合は、光コネクタ付光ファイバケーブルを用いることにより、現場での光コネクタを組み立てる必要がなくなり、作業性が向上する。
図１０は本発明の実施形態に係る光ファイバケーブルを従来の光ケーブルと比較した説明図であり、１６ｃｍ径のＣＤ管へ１本づつ２種類の光ファイバケーブルを通線した場合の実験データである。
【００４６】
図６は本発明の第１の実施形態に係る情報配線システムを示す構成説明図である。図６に示すように、４階の建物２１において、１階には主配電盤（ＭＤＦ）２２が設置され、２階、３階、及び４階にはそれぞれ中間配電盤（ＩＤＦ）２３が設置される。前記主配電盤２２と２階の中間配電盤２３との間、２階の中間配電盤２３と３階の中間配電盤２３との間、３階の中間配電盤２３と４階の中間配電盤２３との間にはそれぞれ縦系配管２４が設けられると共に、前記主配電盤２２と各階の中間配電盤２３にはそれぞれ横系配管２５が設けられる。前記各階の中間配電盤２３にはスプリッタモジュール２６が設けられる。前記横系配管２５には横系配線光ファイバケーブル２７が通線され、前記横系配線光ファイバケーブル２７の中間配電盤２３側の端部にはスプリッタモジュール２６を介して単芯光コネクタ２８が設けられる。
【００４７】
前記縦系配管２４には４階の中間配電盤２３から１階の主配電盤２２まで光ファイバケーブル１が多芯光コネクタ２から挿入され、分岐部３及び単芯光コネクタ５は４階の中間配電盤２３側に残される。４階の中間配電盤２３において、単芯光コネクタ５は前記単芯光コネクタ２８とアダプタ２９を介して互いに差し込むことで接続される。
【００４８】
このようにして、縦系配線の光ファイバケーブル１を横系配線光ファイバケーブル２７に接続することができる。
【００４９】
これは従来の配線システムと比較して、中間配電盤２３での接続処理が不要になり、縦系配管２４に光ファイバケーブル１を配線し、容易な光コネクタ接続のみで構築できるため、従来のように配管に合わせて光ファイバケーブルを選択し、各階の中間配電盤などで光ファイバ素線の分岐処理を行い、それをキャビネットやスプリッタモジュールなどで光ファイバ心線の被覆を除去し、メカニカルスプライスや融着などの一定の経験や技術の必要な接続処理を行う必要がない。
【００５０】
そのため、情報配線システムの構築手段が一定になり、かつ容易になるため一定の技術を有した作業者以外でも、情報配線システムの構築が可能になる。
【００５１】
図７は本発明の第２の実施形態に係る情報配線システムを示す構成説明図である。図７中、図６と同一部分は同一符号を付してその説明を省略する。図７は主配電盤２２にスプリッタモジュール２６を備え、各階の中間配電盤２３にスプリッタモジュールを備えない場合であり、横系配線光ファイバケーブル２７の中間配電盤２３のキャビネット側の端部には単芯光コネクタ２８が設けられる。
【００５２】
４階の中間配電盤２３において、単芯光コネクタ５は前記単芯光コネクタ２８とアダプタ２９を介して互いに差し込むことで接続される。
【００５３】
このようにして、縦系配線の光ファイバケーブル１を横系配線光ファイバケーブル２７に接続することができる。
【００５４】
図７では１階の主配電盤２２において、多芯光コネクタ２が多芯／単芯変換アダプタ３１及びアダプタ２９を介してスプリッタモジュール２６側の単芯光コネクタ３２に接続される。
【００５５】
図８は本発明の第３の実施形態に係る情報配線システムを示す構成説明図である。図８中、図６と同一部分は同一符号を付してその説明を省略する。図８は主配電盤２２及び各階の中間配電盤２３にスプリッタモジュールを備えない場合であり、横系配線光ファイバケーブル２７の中間配電盤２３のキャビネット側の端部には単芯光コネクタ２８が設けられる。
【００５６】
４階の中間配電盤２３において、単芯光コネクタ５は前記単芯光コネクタ２８とアダプタ２９を介して互いに差し込むことで接続される。
【００５７】
このようにして、縦系配線の光ファイバケーブル１を横系配線光ファイバケーブル２７に接続することができる。
【００５８】
図８では１階の主配電盤２２において、多芯光コネクタ２が多芯／単芯変換アダプタ３１及びアダプタ２９を介して、専用線やダークファイバなどのスプリッタモジュールを介さずにピグテイルコード３０側の単芯光コネクタ３２に接続されている。
【００５９】
図９は本発明の第４の実施形態に係る情報配線システムを示す構成説明図である。図９中、図６と同一部分は同一符号を付してその説明を省略する。図９は主配電盤２２及び各階の中間配電盤２３にスプリッタモジュールを備えた場合であり、横系配線光ファイバケーブル２７の中間配電盤２３側の端部にはスプリッタモジュール２６を介して単芯光コネクタ２８が設けられる。
【００６０】
４階の中間配電盤２３において、単芯光コネクタ５は前記単芯光コネクタ２８とアダプタ２９を介して互いに差し込むことで接続される。
【００６１】
このようにして、縦系配線の光ファイバケーブル１を横系配線光ファイバケーブル２７に接続することができる。
【００６２】
図９では１階の主配電盤２２において、多芯光コネクタ２がスプリッタモジュール２６に接続される。
【００６３】
以上のように本実施形態によれば、ケーブル外被にフッ素樹脂を利用することやケーブル外被に配管内壁との設置面積を減少させるために凹凸形状をつけることによって、ケーブル外被表面の動摩擦係数を低減することが可能となり、他の既存ケーブル類へ重ねて配線する際に、それらのケーブル類のケーブル被覆や縦系の配管内壁に対する動摩擦力を低減することが可能になるため、余剰スペースや既に配管内に他のケーブル類が配線されている場合でも、動摩擦力による抵抗力を低減できるため引張力が少なくなり、光ファイバケーブルを容易に配管内へ配線することが可能となる。
【００６４】
また、本実施形態は細径のテンションメンバを利用し、スロットロッドに備える光ファイバ心線が単芯であり、従来のスロットロッドに備える光ファイバ心線がテープ形状であることから、従来のスロットロッドと比較して細径にすることが可能であり、ケーブル外被も薄くて丈夫な素材を用いていることから、それらスロットロッド及びケーブル外被を利用することによって、ケーブル外径を細径化することが可能になり、ビル内の縦系の配管内に多数配線することや既に配管内に配線されたケーブル類へ重ねて配線することが従来の光ケーブルと比較して容易になる。
【００６５】
一方で本実施形態は両端に光コネクタを備えたものであるため、オフィスビルやマンションビルの構内の主配電盤や各階の中間配電盤における接続作業は備えられた光コネクタを容易に接続できるスプリッタモジュールや光コネクタのアダプタ等へ差し込むのみになるため、接続作業を簡易にすることが可能となる。
【００６６】
これらの点からも本実施形態を利用することによって、特定の技術を利用せずにオフィスビルやマンションビルの構内へ光ファイバケーブルを配線することが可能であるため、特定の技術を有した作業者以外の作業者でもオフィスビルやマンションビルの構内への光ファイバケーブルの配線が可能になり、かつ、作業が容易になるため、従来の光ファイバケーブルの配線工事と比較して作業時間を短縮することも可能になる。
【００６７】
また、本実施形態を利用することで、どのようなオフィスビルやマンションビルにおいても情報配線システムの構築が一定の手段になり、作業が容易になることから、オフィスビルやマンションビルの構内における光ファイバケーブルを利用した情報配線システムの構築が容易となる。
【００６８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６９】
【図１】本発明の一実施形態に係る光ファイバケーブルを示す構成説明図である。
【図２】本発明の他の実施形態に係る光ファイバケーブルを示す構成説明図である。
【図３】本発明の実施形態に係る光ファイバケーブルの一例を示す断面図である。
【図４】本発明の実施形態に係る光ファイバケーブルの他の例を示す断面図である。
【図５】本発明の実施形態に係るケーブル外被を示す構成説明図である。
【図６】本発明の第１の実施形態に係る情報配線システムを示す構成説明図である。
【図７】本発明の第２の実施形態に係る情報配線システムを示す構成説明図である。
【図８】本発明の第３の実施形態に係る情報配線システムを示す構成説明図である。
【図９】本発明の第４の実施形態に係る情報配線システムを示す構成説明図である。
【図１０】本発明の実施形態に係る光ファイバケーブルを従来の光ケーブルと比較した説明図である。
【符号の説明】
【００７０】
１…光ファイバケーブル、２…多芯光コネクタ、３…分岐部、４…コード部、５…単芯光コネクタ、１１…テンションメンバ、１２…スロットロッド、１３…スロット、１４…単芯の光ファイバ心線、１５…ケーブル外被、１６…スロットロッド、１７…スロット、１９…凹凸形状部、２１…建物、２２…主配電盤、２３…中間配電盤、２４…縦系配管、２５…横系配管、２６…スプリッタモジュール、２７…横系配線光ファイバケーブル、２８…単芯光コネクタ、２９…アダプタ、３０…ピグテイルコード、３１…多芯／単芯変換アダプタ、３２…単芯光コネクタ。
【図１】
2009128711.tif 000003
【図２】
2009128711.tif 000004
【図３】
2009128711.tif 000005
【図４】
2009128711.tif 000006
【図５】
2009128711.tif 000007
【図６】
2009128711.tif 000008
【図７】
2009128711.tif 000009
【図８】
2009128711.tif 000010
【図９】
2009128711.tif 000011
【図１０】
2009128711.tif 000012